(57)【要約】本発明は、流体に含まれた異物質排出装置に関するものである。本発明に従う流体に含まれた異物質排出装置は、分離網設置胴体、異物質分離網体、流体流入管、流体排出管、及びボールバルブからなる流体に含まれた異物質を除去する装置であって、上記分離網設置胴体の中空部の上部内周縁に挿入固定された連結具の雌ねじ部に空気チャンバーを分離可能に締結し、かつ上記空気チャンバーは連結具の雌ねじ部に締結される締結部と、上記締結部と連通するように一体形成され、内部に圧縮空気が包集される包集部とから構成されることを特徴とする。このように構成された本発明は、流体流入管と分離網設置胴体の異物質排出管との交叉地点に備えられたボールバルブが異物質排出位置に移動して流体の供給が遮断されれば、異物質排出管の内部に積まれた異物質と内部に残留された流体が、分離網設置胴体の上部の空気チャンバーの内部に包集された圧縮空気の圧力により異物質排出管を通じて外部に速やかに排出されて異物質の除去が容易になる効果が得られる。【選択図】図５
2010530932.tif 000002
【特許請求の範囲】
【請求項１】
分離網設置胴体、異物質分離網体、流体流入管、流体排出管、及びボールバルブからなる流体に含まれた異物質排出装置であって、
前記分離網設置胴体（１０）の中空部（１２）の上部内周縁に挿入固定された連結具（７０）に空気チャンバー（８０）を脱着可能に締結し、かつ、
前記空気チャンバー（８０）は連結具（７０）に締結される締結部（８２）と、
前記締結部（８２）と連通するように一体形成され、内部に圧縮空気が包集される包集部（８４）と、
から構成されることを特徴とする流体に含まれた異物質排出装置。
【請求項２】
分離網設置胴体、異物質分離網体、栓、流体流入管、流体排出管、及び
流体流入管と分離網設置胴体の異物質排出管との交叉地点に備えられ、円形のボール挿入溝が形成されたボールハウジングと、前記ボールハウジングのボール挿入溝に回転可能に挿入され、異物質排出管及び流体流入管の内周縁と連通するように通水孔が形成されたボールと、ボールに着脱可能に連結されてボールを回転させるためのレバーからなるボールバルブで構成された流体に含まれた異物質排出装置であって、
前記ボール（６４）の外周縁に傾斜するように傾斜通孔（９０）が形成されたことを特徴とする流体に含まれた異物質排出装置。
【請求項３】
前記傾斜通孔（９０）は、
前記ボール（６４）の通水孔（６４ａ）が流体流入管（４０）と一致する地点を中心に左側上部領域には高くて、右側領域に低く傾斜するように穿孔されたことを特徴とする請求項２に記載の流体に含まれた異物質排出装置。
【請求項４】
分離網設置胴体、異物質分離網体、栓、流体流入管、流体排出管、及び前記流体流入管と分離網設置胴体の異物質排出管との交叉地点に備えられ、円形のボール挿入溝が形成されたボールハウジングと、前記ボールハウジングのボール挿入溝に回転可能に挿入され、異物質排出管及び流体流入管の内径と連通するように通水孔が形成されたボールと、ボールに着脱可能に連結されてボールを回転させるためのレバーからなるボールバルブで構成された流体に含まれた異物質排出装置であって、
前記ボール（６４）の外周縁に組立溝（１００）が形成された嵌合突部（１１０）が一体形成され、
前記組立溝（１００）に分離可能に仕上げ連結具（１２０）が締結され、
前記組立溝（１００）と連通するように左側には傾斜するように傾斜孔（１３０）が形成され、右側も前記組立溝（１００）と連通するように水平孔（１４０）が形成され、
前記仕上げ連結具（１２０）にて仕上げられた組立溝（１００）の内部には流体の圧力で傾斜孔（１３０）を遮断する遮断ボール（１５０）が内蔵されていることを特徴とする流体に含まれた異物質排出装置。
【請求項５】
前記傾斜孔（１３０）は、
前記組立溝（１００）の内側端に形成されて遮断ボール（１５０）が密着される遮断ボール嵌合部（１３１）と、
前記遮断ボール嵌合部（１３１）から上部に傾斜するように貫通形成され、通水孔（６４ａ）の中央領域と一致するように形成されて流体が排出される水排出部（１３２）と、
から構成されることを特徴とする請求項４に記載の流体に含まれた異物質排出装置。
【発明の詳細な説明】
【技術分野】
【０００１】
本発明は、水道計器及び機械装置の前方に設けられて流体に混ざっている砂や鉄粉などの異物質を除去するための異物質排出装置に関し、より詳しくは、内部に異物質分離網体が安着される分離網設置胴体の上部内径に空気チャンバーを締結して内部に圧縮された空気にて異物質を速やかに排出させることができるように構成したものである。
【背景技術】
【０００２】
一般に、流体のうち、水道水に対する一例を挙げて見れば、浄水場で清潔な状態の水道水が供給されても家庭に到達された水道水には相当量の異物質が混ざっている実状である。これは上水道管の老化による腐食及び上水道管の設置過程で流入された異物質が原因である。
【０００３】
このような理由により家庭で水道水を信頼しないようになっただけでなく、異物質による水道計器の頻繁な故障の原因となった。
【０００４】
このような問題点を解決するために、本出願人は特許第２００６−０１１５１９５号（発明の名称：水道水の不純物除去装置）を出願した。図１及び図２に示すように、上記水道水の不純物除去装置は、貫通された中空部２１２を有し、中空部２１２の上部に水道水流入口２２２が形成され、中央部に水道水排出口２２３及び係止段２２４が形成されている分離網設置胴体２２０と、上記分離網設置胴体２２０の中空部２１２に挿入され、水道水流入ホール２１３及び分離網２１１が設けられている不純物分離網体２１０と、上記分離網設置胴体２２０の上部を遮断する栓２５０と、一方は分離網設置胴体２２０の水道水流入口２２２に連結されており、他方は水道水供給管２０１に連結されている水道水流入管２３０と、一方は上記水道水排出口２２３に連結されており、他方は水道計器（図示せず）に連結されている水道水排出管２４０と、上記水道水流入管２３０と分離網設置胴体２２０との交叉地点に設けられ、水道水流入管２３０が開けば分離網設置胴体２２０の下部は閉じ、水道水流入管２３０が閉じれば分離網設置胴体２２０の下部は開くようになったボールバルブ２６０を含んで構成されて、栓２５０とボールバルブ２６０により分離網設置胴体２２０の上部と下部が遮断された状態になれば、水道水供給管２０１を経由した水道水が水道水流入管２３０、分離網設置胴体２２０、不純物分離網体２１０、水道水排出管２４０、及び水道計器（図示せず）を順次に経由するようになり、不純物分離網体２１０により異物質が除去された水道水のみ水道水排出管２４０に排出できるように設けられる。
【０００５】
このような状態で不純物分離網体に流入した流体に混ざっていた不純物は分離網により分離された後、水道水が流れない状態になると沈殿して分離網設置胴体の下部に積まれる。
【０００６】
以上のように、分離網設置胴体の下部に積まれた異物質は、水道水流入管と分離網設置胴体の交叉地点に設けられたボールバルブの動作により分離網設置胴体の下部が開くようにして外部に速やかに排出される。
【０００７】
しかしながら、このような従来の装置はボールバルブの動作により水道水流入管が遮断されて内部に水圧が低く作用して不純物分離網体の分離網に固着した異物質と下部に積まれた異物質が容易に排出できないという問題点が発生した。
【発明の概要】
【発明が解決しようとする課題】
【０００８】
本発明は、上記のような従来の問題点を解決するためのものであって、異物質分離網体の分離網に濾され、下部に積まれた異物質を内部の圧縮空気にて速やかに排出させることができるように構成した流体に含まれた異物質排出装置を提供することをその目的とする。
【０００９】
本発明の他の目的は、ボールの外周縁に傾斜するように傾斜通孔を形成してボールの位置が異物質位置、即ち通水孔が異物質排出管と一致する位置で流体流入管と傾斜通孔とが一致して強い流体圧で異物質排出管を通じて異物質を外部に速やかに排出させることにある。
【００１０】
本発明の更に他の目的は、ボールの外周縁に組立溝を形成し、これに水平孔と傾斜孔とを形成してボールの位置が異物質位置、即ち通水孔が異物質排出管と一致する位置で流体流入管と水平孔とが一致して強い水圧が組立溝に流入され、傾斜孔を通じて装置の外部へと異物質を速やかに排出させ、内部の遮断ボールにて遮断し流体が一度に供給されて異物質を速やかに排出させることにある。
【課題を解決するための手段】
【００１１】
このような目的を達成するための本発明は、分離網設置胴体、異物質分離網体、流体流入管、流体排出管、及びボールバルブからなる流体に含まれた異物質を除去するための装置であって、上記分離網設置胴体の中空部の上部内周縁に挿入固定された連結具の雌ねじ部に空気チャンバーを分離可能に締結し、かつ上記空気チャンバーは連結具の雌ねじ部に締結される締結部、及び上記締結部と連通するように一体形成され、内部に圧縮空気が包集される包集部から構成されることを特徴とする。
【００１２】
そして、分離網設置胴体、異物質分離網体、栓、流体流入管、流体排出管、及び上記流体流入管と分離網設置胴体の異物質排出管との交叉地点に備えられ、円形のボール挿入溝が形成されたボールハウジングと、上記ボールハウジングのボール挿入溝に回転可能に挿入され、異物質排出管及び流体流入管の内径と連通するように通水孔が形成されたボールと、ボールに着脱可能に連結されてボールを回転させるためのレバーからなるボールバルブで構成された流体に含まれた異物質排出装置であって、上記通水孔の外周縁のボールに傾斜するように傾斜通孔が形成されたことを特徴とする。
【００１３】
また、分離網設置胴体、異物質分離網体、栓、流体流入管、流体排出管、及び上記流体流入管と分離網設置胴体の異物質排出管との交叉地点に備えられ、円形のボール挿入溝が形成されたボールハウジングと、上記ボールハウジングのボール挿入溝に回転可能に挿入され、異物質排出管及び流体流入管の内径と連通するように通水孔が形成されたボールと、ボールに着脱可能に連結されてボールを回転させるためのレバーからなるボールバルブで構成された流体に含まれた異物質排出装置であって、上記ボールの外周縁に組立溝が形成された嵌合突部が一体形成され、上記組立溝に仕上げ連結具が分離可能に締結され、上記組立溝と連通するように一側には傾斜するように傾斜孔が貫通形成され、他側には水平孔が形成され、上記仕上げ連結具にて仕上げられた組立溝の内部には流体の圧力で傾斜孔を遮断する遮断ボールが内蔵されたことを特徴とする。
【発明の効果】
【００１４】
本発明の流体に含まれた異物質排出装置によれば、流体流入管と分離網設置胴体の異物質排出管との交叉地点に備えられたボールバルブが異物質排出位置に移動して流体の供給が遮断されれば、異物質排出管の内部に積まれた異物質と内部に残留された流体が、分離網設置胴体の上部の空気チャンバーの内部に包集された圧縮空気の圧力により異物質排出管を通じて外部に速やかに排出されて異物質の除去が容易になる効果が得られる。
【００１５】
そして、ボールバルブを構成するボールの外周縁に傾斜するように傾斜通孔を形成して、ボールの位置が異物質位置、即ち通水孔が異物質排出管と一致する位置で流体流入管と傾斜通孔とが一致して強い流体圧で異物質排出管を通じて異物質を外部に速やかに排出させる効果が得られる。
【００１６】
また、ボールバルブを構成するボールに組立溝を形成し、これに水平孔と傾斜孔とを形成して、ボールの位置が異物質位置、即ち通水孔が異物質排出管と一致する位置で流体流入管と水平孔とが一致して強い流体圧が組立溝に流入されることによって、傾斜孔を通じて装置の外部に排出させて異物質を速やかに排出させ、内部の遮断ボールにて遮断して１回に経て流体が供給されて異物質を速やかに排出させる効果が得られる。
【図面の簡単な説明】
【００１７】
【図１】従来の水道水の不純物除去装置において、不純物を分離しながら水道水を水道計器方向に供給する動作状態図である。
【図２】従来の水道水の不純物除去装置において、分離された不純物を外部に排出させる動作状態図である。
【図３】本発明に従う流体に含まれた異物質排出装置の構造を示す斜視図である。
【図４】本発明に従う流体に含まれた異物質排出装置の動作状態図である。
【図５】本発明に従う流体に含まれた異物質排出装置の動作状態図である。
【図６】本発明に従う流体に含まれた異物質排出装置の第１実施形態を示す斜視図である。
【図７】図６の要部斜視図である。
【図８】図６の動作状態断面図である。
【図９】図６の動作状態断面図である。
【図１０】図９のＡ−Ａ線による断面図である。
【図１１】本発明に従う流体に含まれた異物質排出装置の第２実施形態を示す斜視図である。
【図１２】図１１の要部分解斜視図である。
【図１３】図１１の動作状態断面図である。
【図１４】図１１の動作状態断面図である。
【図１５】図１４の動作状態断面図である。
【図１６】図１４の動作状態断面図である。
【発明を実施するための形態】
【００１８】
以下、本発明の技術的思想を添付された図面を参照しつつより具体的に説明すれば、次の通りである。
【００１９】
しかしながら、添付された図面は本発明の技術的思想をより具体的に説明するために図示した一例に過ぎないので、本発明の技術的思想が添付された図面の形態に限定されるのではない。
【００２０】
添付された図面中、図３は本発明に従う流体に含まれた異物質排出装置の構造を示す分解斜視図であり、図４及び図５は本発明に従う流体に含まれた異物質排出装置の動作状態を示す断面図である。
【００２１】
図３乃至図５に示すように、本発明に従う流体に含まれた異物質排出装置は、分離網設置胴体１０、異物質分離網体３０、流体流入管４０、流体排出管５０、及びボールバルブ６０からなる。
【００２２】
上記分離網設置胴体１０は、貫通された中空部１２を有し、中空部１２の上部には流体流入口１４が形成され、中央には流体排出口１６及び係止段１８が形成され、下部領域には異物質が積まれて排出する異物質排出管２０が連通するように形成される。
【００２３】
上記異物質分離網体３０は、分離網設置胴体１０の中空部１２に挿入されて係止段１８の上部に分離可能に安着し、供給された流体が流入される貫通された中空部３２を有し、下部領域には流体排出口１６に一致するように分離網３４が備えられる。
【００２４】
上記流体流入管４０は、一側は分離網設置胴体１０の流体流入口１４に連結され、他側は流体供給孔が形成されて分離網設置胴体１０の内部に流体を供給するようになり、分離網設置胴体１０の下部領域の異物質排出管２０と交叉されると共に、連通するように連結される。
【００２５】
上記流体排出管５０は、一側は流体排出口１６に連結され、他側は水道計器に連結されて、分離網設置胴体１０に流入した流体が水道計器及び機械装置の供給配管を経て供給できる。
【００２６】
上記ボールバルブ６０は、流体流入管４０と分離網設置胴体１０の異物質排出管２０の交叉地点に備えられ、円形のボール挿入溝６２と、ボール挿入溝６２に回転可能に挿入され、異物質排出管２０及び流体流入管３０の内径と連通するように通水孔６４ａが形成されたボール６４と、ボール６４に着脱可能に連結されてボール６４を回転させるためのレバー６６からなる。
【００２７】
一方、分離網設置胴体１０の中空部１２の上部内周縁には雌ねじ部７１が形成された連結具７０の外周縁が挿入固定され、連結具７０の雌ねじ部７１には空気チャンバー８０が分離可能に締結されて内部に圧縮空気が包集される。
【００２８】
上記空気チャンバー８０は、連結具７０のナット部７１に分離可能に締結される締結部８２、及び締結部８２と連通するように一体形成され、内部に圧縮空気が包集される包集部８４からなる。
【００２９】
そして、図６は本発明に従う流体異物質排出装置の第１実施形態を示す斜視図であり、図７は図６の要部斜視図であり、図８及び図９は図６の動作状態断面図であり、図１０は図９のＡ−Ａ線断面図である。
【００３０】
図６乃至図１０に示すように、本発明に従う流体に含まれた異物質排出装置は、分離網設置胴体１０、異物質分離網体３０、栓３６、流体流入管４０、流体排出管５０、及びボールバルブ６０からなる。
【００３１】
上記分離網設置胴体１０は、貫通された中空部１２を有し、中空部１２の上部には流体流入口１４が形成され、中央には流体排出口１６及び係止段１８が形成され、下部領域には異物質が積まれて排出される異物質排出管２０が連通するように形成される。
【００３２】
上記異物質分離網体３０は、分離網設置胴体１０の中空部１２に挿入されて係止段１８の上部に分離可能に安着し、供給された流体が流入される貫通された中空部３２を有し、下部領域には流体排出口１６に一致するように分離網３４が備えられる。
【００３３】
上記栓３６は、分離網設置胴体１０の上部に締結固定されて上部を遮断する。
【００３４】
上記流体流入管４０は、一側は分離網設置胴体１０の流体流入口１４に連結され、他側は流体供給管に連結されて、分離網設置胴体１０の内部に流体を供給するようになり、分離網設置胴体１０の下部領域の異物質排出管２０と交叉すると共に、連通するように連結される。
【００３５】
上記流体排出管５０は、一側は流体排出口１６に連結され、他側は水道計器及び機械装置の供給配管に連結されて、分離網設置胴体１０に流入された流体を供給できる。
【００３６】
上記ボールバルブ６０は、流体流入管３０と分離網設置胴体１０の異物質排出管２０との交叉地点に備えられ、円形のボール挿入溝６２、ボール挿入溝６２に回転可能に挿入され、異物質排出管２０及び流体流入管４０の内径と連通するように通水孔６４ａが形成されたボール６４、及びボール６４に着脱可能に連結されてボール６４を回転させるためのレバー６６からなる。
【００３７】
上記通水孔６４ａの外周縁のボール６４には傾斜するように傾斜通孔９０を形成する。
【００３８】
上記傾斜通孔９０は、ボール６４の通水孔６４ａが流体流入管４０と一致する地点を中心に左側上部領域と右側領域を貫通して形成されるが、左側が高くて、右側が低く傾斜するように穿孔される。
【００３９】
この際、傾斜通孔９０は直径が通水孔６４ａの直径より小さく形成されて流体の圧力が大きく作用する。
【００４０】
このように、傾斜通孔９０はボール６４の通水孔６４ａが流体流入管４０と一致する位置では異物質排出管２０と流体流入管４０に一致しないようになり、ボール６４が時計方向に９０゜回転して通水孔６４ａが異物質排出管２０に一致しながら傾斜通孔９０の右側領域が流体流入管４０に一致して傾斜通孔９０を通じて流体が続けて供給されて異物質が容易に排出される。
【００４１】
また、図１１は本発明に従う流体に含まれた異物質排出装置の第２実施形態を示す斜視図であり、図１２は図１１の要部分解斜視図であり、図１３及び図１４は図１１の動作状態断面図であり、図１５及び図１６は図１４の動作状態断面図である。
【００４２】
図１１乃至図１６に示すように、本発明に従う流体に含まれた異物質排出装置は、分離網設置胴体１０、異物質分離網体３０、栓３６、流体流入管４０、流体排出管５０、及びボールバルブ６０からなる。
【００４３】
上記分離網設置胴体１０は、貫通された中空部１２を有し、中空部１２の上部には流体流入口１４が形成され、中央には流体排出口１６及び係止段１８が形成され、下部領域には異物質が積まれて排出される異物質排出管２０が連通するように形成される。
【００４４】
上記異物質分離網体３０は、分離網設置胴体１０の中空部１２に挿入されて係止段１８の上部に分離可能に安着し、供給された流体が流入される貫通された中空部３２を有し、下部領域には流体排出口１６に一致するように分離網３４が備えられる。
【００４５】
上記栓３６は、分離網設置胴体１０の上部に締結固定されて上部を遮断する。
【００４６】
上記流体流入管４０は、一側は分離網設置胴体１０の流体流入口１４に連結され、他側は流体供給管に連結されて、分離網設置胴体１０の内部に流体を供給するようになり、分離網設置胴体１０の下部領域の異物質排出管２０と交叉すると共に連通するように連結される。
【００４７】
上記流体排出管５０は、一側が流体排出口１６に連結され、他側が水道計器及び機械装置の供給配管に連結されて、分離網設置胴体１０に流入された流体を供給できる。
【００４８】
上記ボールバルブ６０は、流体流入管４０と分離網設置胴体１０の異物質排出管２０との交叉地点に備えられ、円形のボール挿入溝６２ａが形成されたボールハウジング６２、ボールハウジング６２のボール挿入溝６２ａに回転可能に挿入され、異物質排出管２０及び流体流入管３０の内径と連通するように通水孔６４ａが形成されたボール６４、及びボール６４に着脱可能に連結されてボール６４を回転させるためのレバー６６からなる。
【００４９】
上記ボール６４の外周縁には組立溝１００が形成された嵌合突部１１０が一体形成され、この組立溝１００には仕上げ連結具１２０が分離可能にねじ締結される。
【００５０】
上記組立溝１００には通水孔６４ａを中心として一側には連通するように傾斜孔１３０が形成され、傾斜孔１３０と対応する他側には水平孔１４０が貫通形成される。
【００５１】
上記傾斜孔１３０は組立溝１００の内側端に形成された遮断ボール嵌合部１３１、及び遮断ボール嵌合部１３１から上方に傾斜するように貫通形成されて流体が排出される水排出部１３２からなる。
【００５２】
上記水平孔１４０は、遮断ボール嵌合部１３１と対応する組立溝１００の内側端と水平を維持して貫通形成される。
【００５３】
そして、傾斜孔１３０の水排出部１３２は、真中央領域に穿孔された通水孔６４ａと同一高さを維持し、一側領域に偏って貫通形成され、水平孔１４０はボール６４の真中央領域に貫通された通水孔６４ａの中央領域に貫通形成される。
【００５４】
また、仕上げ連結具１２０にて仕上げられた組立溝１００の内部には流体の供給に従い傾斜孔１３０の遮断ボール嵌合部１３１を選択的に遮断するための遮断ボール１５０が内蔵される。この時、遮断ボール１５０は水に浮上できるスチールボーロからなることが好ましい。
【００５５】
このように構成された本発明の動作状態を説明すれば、図４及び図５のように、流体流入管３０と分離網設置胴体１０の異物質排出管２０との交叉地点に備えられたボールバルブ６０を流体供給位置に移動させる。
【００５６】
すると、流体が流体供給管を通じ、ボールバルブ６０を構成するボール６４の通水孔６４ａを通じ、流体流入管３０を経て分離網設置胴体１０の内部の異物質分離網体３０に供給され、流体に含まれた異物質は下部領域の分離網３４により濾されると共に、分離網設置胴体１０の異物質排出管２０の内部に異物質が積まれるようになり、異物質が濾された流体は流体排出管５０を通じて水道計器及び機械装置配管供給管に供給される。
【００５７】
これと共に、分離網設置胴体１０の中空部１２の上部内周縁に挿入固定された連結具７０の雌ねじ部７１に締結部８２にて締結される空気チャンバー８０の包集部８４の下部には流体が詰められ、上部には圧縮空気が包集される。
【００５８】
このような状態で流体流入管３０と分離網設置胴体１０の異物質排出管２０との交叉地点に備えられたボールバルブ６０を異物質排出位置に移動させる。
【００５９】
即ち、ボールバルブ６０を構成するボール６４の通水孔６４ａと異物質排出管２０を一致させれば、流体の供給が遮断されると共に、異物質排出管２０の内部に積まれた異物質と内部に残留された流体が分離網設置胴体１０の上部に締結される空気チャンバー８０の包集部８４に包集された圧縮空気の圧力によりボール６４の通水孔６４ａを通じ、異物質排出管２０を通じて外部に速やかに排出される。
【００６０】
一方、図６乃至図１０に図示された内容は、流体に含まれた異物質排出装置の第１実施形態であって、これに対する動作状態を説明する。
【００６１】
図８のように、流体流入管３０と分離網設置胴体１０の異物質排出管２０との交叉地点に備えられたボールバルブ６０を流体供給位置に移動させる。
【００６２】
すると、流体が流体供給管を通じ、ボールバルブ６０を構成するボール６４の通水孔６４ａを通じ、流体留任管３０を経て分離網設置胴体１０の内部の異物質分離網体３０に供給され、流体に混ざった異物質は下部領域の分離網３４により濾されると共に、分離網設置胴体１０の異物質排出管２０の内部に異物質が積まれるようになり、異物質が濾された流体が流体排出管５０を通じて水道計器及び機械装置に供給される。
【００６３】
このような状態で、図９及び図１０のように流体流入管３０と分離網設置胴体１０の異物質排出管２０の交叉地点に備えられたボールバルブ６０を異物質排出位置に移動させる。
【００６４】
即ち、ボールバルブ６０を時計方向に９０゜回転させれば、ボールバルブ６０が異物質排出位置に移動されて通水孔６４ａが異物質排出管２０と一致することによって流体の供給が遮断される。この際、流体異物質排出装置の内部には水圧が微小に作用するようになって異物質の排出が容易でない状態が維持される。
【００６５】
このようにボールバルブ６０が回転してボール６４に傾斜するように形成された傾斜通孔９０の右側領域が流体流入管３０に一致して傾斜通孔９０を通じて流体が内部に続けて速やかに供給されて異物質が容易に排出される。
【００６６】
このような状態、即ち計器側に流体が流れない状態では、導水のおそれがあるので、主として水道水の以外の流体を使用する産業用に使われる。
【００６７】
一方、ボールバルブ６０を反時計方向に９０゜回転させれば、ボールバルブ６０が異物質排出位置に移動して通水孔６４ａが異物質排出管２０と一致することによって流体の供給が遮断される。この際、流体異物質排出装置の内部には水圧が微小に作用するようになって異物質の排出が容易でない状態が維持される。
【００６８】
使用が完了すれば、前述した状態でボールバルブ６０を反時計方向に４５゜位回転させれば、ボールバルブ６０の通水孔６４ａが異物質排出管２０と流体供給管３０のいずれにも一致せず断水状態となる。
【００６９】
また、図１１乃至図１６に図示された内容は、流体に含まれた異物質排出装置の第２実施形態であって、これに対する動作状態を説明すれば、図１３のように流体流入管３０と分離網設置胴体１０の異物質排出管２０との交叉地点に備えられたボールバルブ６０を流体供給位置に移動させる。
【００７０】
すると、流体が流体供給管を通じ、ボールバルブ６０を構成するボール６４の通水孔６４ａを通じ、流体流入管３０を経て分離網設置胴体１０の内部の異物質分離網体３０に供給され、流体に混ざった異物質が下部領域の分離網３４により濾されると共に、分離網設置胴体１０の異物質排出管２０の内部に異物質が積まれるようになり、異物質が濾された流体は流体排出管５０を通じて水道計器及び機械装置に供給される。
【００７１】
このような状態で図１４のように、流体流入管３０と分離網設置胴体１０の異物質排出管２０との交叉地点に備えられたボールバルブ６０を異物質排出位置に移動させる。
【００７２】
即ち、ボールバルブ６０を時計方向に９０゜回転させれば、ボールバルブ６０が異物質排出位置に移動して通水孔６４ａが異物質排出管２０と一致させることによって流体の供給が遮断される。この際、流体異物質排出装置の内部には水圧が微小に作用するようになって異物質の排出が容易でない状態が維持される。
【００７３】
このように、ボールバルブ６０が回転して外周縁の組立溝１００に通水孔６４ａを中心に連通するように形成された傾斜孔１３０と対応するように組立溝１００の内側端に水平に貫通形成された水平孔１４０が流体流入管３０に一致して適正圧力の流体が水平孔１４０を通じて仕上げ連結具１２０にて仕上げられた組立溝１００の内部に流入される。
【００７４】
このように、組立溝１００の内部に流入された流体が自体流体圧により内部で渦巻きながら水平孔１４０の向かい側の傾斜孔１３０を通じて装置の内部に排出されて異物質を外部に排出させる。
【００７５】
このように、流体が装置の外部に排出されると共に、組立溝１００の内部に内蔵された遮断ボール１５０が水圧により組立溝１００の内部で移動していた遮断ボール１５０が傾斜孔１３０の内径を速やかに遮断することによって、流体の供給が遮断される。即ち、一度で流体が供給されて異物質を速やかに排出される（図１５、図１６参照）。
【００７６】
一方、使用が完了すれば前述した状態でボールバルブ６０を反時計方向に略４５゜回転させれば、ボールバルブ６０の通水孔６４ａが異物質排出管２０と流体供給管３０にどこにも一致しなくて断水状態が維持される。
【符号の説明】
【００７７】
１０    分離網設置胴体
１２    中空部
４０    流体流入管
６４    ボール
６４ａ    通水孔
７０    連結部
８０    空気チャンバー
８２    締結部
８４    包集部
９０    傾斜通孔
１００    組立溝
１１０    嵌合突部
１２０    仕上げ連結具
１３０    傾斜孔
１３１    遮断ボール嵌合部
１３２    水排出部
１４０    水平孔
１５０    遮断ボール
【図１】
2010530932.tif 000003
【図２】
2010530932.tif 000004
【図３】
2010530932.tif 000005
【図４】
2010530932.tif 000006
【図５】
2010530932.tif 000007
【図６】
2010530932.tif 000008
【図７】
2010530932.tif 000009
【図８】
2010530932.tif 000010
【図９】
2010530932.tif 000011
【図１０】
2010530932.tif 000012
【図１１】
2010530932.tif 000013
【図１２】
2010530932.tif 000014
【図１３】
2010530932.tif 000015
【図１４】
2010530932.tif 000016
【図１５】
2010530932.tif 000017
【図１６】
2010530932.tif 000018
【国際調査報告】
2010530932.tif 000019
2010530932.tif 000020